(57)【要約】【目的】装置の使用者が車椅子等の利用者であっても、或は装置を無重力空間において使用する際にも、安定して使用することが可能であるとともに、修理等の際に外したビスの処理の容易化を図ることができる画像形成装置を提供すること。【構成】本発明に係る画像形成装置は、操作部近傍、ドア等の開閉部材近傍、装置外形の稜線部近傍の少なくとも１箇所以上に配置され、装置の使用者が身体を支えることが可能な把手を有する。ここで、前記把手の少なくとも一部が磁力を有する材質で構成されている。又、画像形成装置は床或は壁等に固定又は固定可能である。【選択図】      図１
2005003937.tif 000002
【特許請求の範囲】
【請求項１】
操作部近傍、ドア等の開閉部材近傍、装置外形の稜線部近傍の少なくとも１箇所以上に配置され、装置の使用者が身体を支えることが可能な把手を有することを特徴とする画像形成装置。
【請求項２】
前記把手の少なくとも一部が磁力を有する材質で構成されていることを特徴とする請求項１記載の画像形成装置。
【請求項３】
前記画像形成装置が床或は壁等に固定又は固定可能であることを特徴とする請求項１記載の画像形成装置。
【発明の詳細な説明】
【０００１】
【発明の属する技術分野】
本発明は、複写機等の画像形成装置に関する。
【０００２】
【従来の技術】
図４において、１は装置本体としての複写機であり、該複写機１の上面には開閉部材としての原稿圧板２及び操作部３が、正面上部にはトナー補給や紙詰まり（ジャム）処理の際に開閉する前ドア４が、装置下部には各種サイズの紙を収納した複数の紙カセット５が、右側上部には開閉式の手差し給紙部６が、右側下部にはジャム処理の際に開閉する右ドア７がそれぞれ配置されている。
【０００３】
上記構成において、使用者は必要に応じて上記の各部を開閉し、所定の操作や処理或は必要に応じて修理等を行うことになる（例えば、特許文献１，２参照）。
【０００４】
【特許文献１】
特開平６−１５６７５１号公報
【０００５】
【特許文献２】
特開平８−３３４９４１号公報
【０００６】
【発明が解決しようとする課題】
しかしながら、不安定な状態で上記作業を行う場合には問題がある。図５は車椅子を利用している使用者が作業を行う状態を示しているが、装置１の下部の操作、例えば紙カセット５の下段の開閉及び紙補給を行うときには、使用者２０は、車椅子２１に対して前方にかがむようになって姿勢が不安定となる。
【０００７】
通常の場合、使用者２０の重心は車椅子２１の２つの車輪２１ａ，２１ｂの中間に位置することになるが、使用者２０の重心が前方に移動して車輪２１ｂの前方に位置するようになると、使用者２０が車椅子２１から転落していまい危険である。使用者２０の重心が車輪２１ｂの前方に位置しない場合でも、重心が車輪２１ｂの上方付近にある場合には、使用者２０が補給のための紙束を持つことにより重心が車輪２１ｂの前方に移動するため、使用者２０が車椅子２１から転落してしまう。
【０００８】
又、転落しないまでも不安定な姿勢での作業は能率が悪く時間が掛かってしまう。装置１の下部の操作でなくとも作業中に操作の反動で車椅子が移動してしまうこともあり得る。
【０００９】
このようなことは車椅子の利用者に限ったことではなく、使用者が体を安定されるのが難しい場合、即ち、足が不自由で杖を利用している場合にも同様である。
【００１０】
又、健常者であっても宇宙のような無重力空間においては自分の体を安定させるのは困難であり、ちょっとした操作に伴う反力により体が移動してしまう。
【００１１】
又、不安定な状態では修理等の作業を行う場合、部品着脱の際に外したビス等の処理にも問題がある。作業者が車椅子等を利用している場合には、外したビスを床や装置１の上部に置くと組み付け時にビスを取ることが難しくなる。無重力空間では外したビスは浮遊して移動、散乱して紛失し兼ねない。
【００１２】
本発明は上記問題に鑑みてなされたもので、その目的とする処は、装置の使用者が車椅子等の利用者であっても、或は装置を無重力空間において使用する際にも、安定して使用することが可能であるとともに、修理等の際に外したビスの処理の容易化を図ることができる画像形成装置を提供することにある。
【００１３】
【課題を解決するための手段】
上記目的を達成するため、請求項１記載の発明は、操作部近傍、ドア等の開閉部材近傍、装置外形の稜線部近傍の少なくとも１箇所以上に配置され、装置の使用者が身体を支えることが可能な把手を有することを特徴とする。
【００１４】
請求項２記載の発明は、請求項１記載の発明において、前記把手の少なくとも一部が磁力を有する材質で構成されていることを特徴とする。
【００１５】
請求項３記載の発明は、請求項１記載の発明において、前記画像形成装置が床或は壁等に固定又は固定可能であることを特徴とする。
【００１６】
【発明の実施の形態】
以下に本発明の実施の形態を添付図面に基づいて説明する。
【００１７】
図１〜図３は本発明の実施の形態を示したものである。
【００１８】
図１は本発明に係る画像形成装置の斜視図であり、同図において、１は装置本体であり、その上部には載置した原稿を押えるための原稿圧板２や複写等の条件を入力するための操作部３が配置されている。装置本体１の正面上部にはトナー補給やジャム処理の際に開閉する前ドア４が、正面下部には各種サイズの紙を収納した複数の紙カセット５がそれぞれ配置されている。又、装置本体１の右側上部には開閉式の手差し給紙部６が、右側下部にはジャム処理の際に開閉するドア７がそれぞれ配置されている。
【００１９】
１０ａ〜１０ｆは装置本体１に設けられた把手であり、装置上部の左右稜線近傍には把手１０ａ，１０ｂ、装置正面上部の操作部近傍には把手１０ｅ、装置右側の開閉式手差し給紙部近傍には把手１０ｃ，１０ｄ、装置左側の稜線近傍には把手１０ｆが配置されている。これらの把手は使用者２０が体を支えるため体重を掛けても大丈夫なように装置１内部の構造体に取り付けられている。
【００２０】
又、図２に示すように、装置１の下部には装置を移動可能にするための車輪１ａが設けられている。１１は装置１を床に対して所定の位置に固定するため固定部材である。
【００２１】
このような把手を有する装置において、使用者２０が車椅子２１を利用している場合には、使用者２０は、把手１０ａ〜１０ｆを利用することで安全に装置１を使用することができる。
【００２２】
使用者２０が装置１正面下部にある紙カセット５の紙を補給する場合には、片方の手で把手１０ｅを掴んで体を支え、他方の手で紙カセット５を引き出して紙を補給すれば良い。前ドア４を開けてのジャム処理の場合は、把手１０ｆを掴んで体を支えて作業をすれば良い。原稿圧板２の改変に際しては把手１０ａ，１０ｂを利用すれば良く、手差し給紙部６を使用する際や右側下部の右ドア７を開閉する際には把手１０ｃや１０ｄを利用すれば良い。
【００２３】
又、このような作業に際には装置１に対して車椅子２１の位置を変える必要が生じるが、このような場合には車椅子２１の車輪２１ａを操作して移動するのではなく、把手を掴んで車椅子２１を引き寄せたり離したりすることで装置１との位置を変えることも可能である。このとき、装置１は固定部材１１により床に固定されているので装置１が移動することはない。
【００２４】
上記説明は使用者が車椅子を利用している場合について述べたが、健常者がかがんで作業をするような場合も体を安定させるために利用可能である。又、固定部材１１は、装置１の重量が比較的小さく装置１が移動し易い場合や無重力空間では必要になるが、装置１の重量が使用者に比べ十分大きい場合や装置１に設けられた車輪１ａにロック機構が付いている場合等、装置１が簡単には移動しない場合には必ずしも必要ではない。
【００２５】
次に、図３について説明する。
【００２６】
図３において、３０は装置１に設けられた把手であり、前記把手１０ａ〜１０ｆの何れであっても良い。把手３０には磁力を有する部分３０ａが設けられている。３１は装置１の修理等の際に外されたビスであり、材質は鉄等の磁性体であり、把手３０の磁力を有する部分３０ａに吸着されている。
【００２７】
修理等の作業者が車椅子を利用している場合、部品の着脱の際に外したビス３１を床や装置１の上部に置くと前記把手１０ａ〜１０ｆを利用して体を支えれば再びビス３１を取ることができる。しかし、床に置いたビスは作業中に車輪２１ａや２１ｂに触れることで思わぬ方向へ移動することや、装置上部に置いたビスが落下し見失うことがある。そこで、把手３０に磁力をを有する部分を設け外したビス３１を吸着しておけば作業中に紛失することはない。
【００２８】
健常者であっても、外したビスを床や装置上部に置けば同様にビスを紛失することを回避できる。無重力空間においては空中に浮遊してしまうのを防ぐことが可能である。
【００２９】
尚、本実施の形態では把手３０の一部に磁力を有する部分３０ａを設けたが、把手３０全体がを磁力を有する材質で構成されていても同様の効果が得られることは言うまでもない。
【００３０】
【発明の効果】
以上の説明で明らかなように、本発明によれば、車椅子の利用者が装置を使用する際に車椅子からの転落を防止でき、健常者にあっても体を安定させての作業が可能となる。
【００３１】
又、修理等の作業で部品を着脱した際にビスの紛失を回避することができる。
【図面の簡単な説明】
【図１】本発明に係る画像形成装置の斜視図である。
【図２】本発明に係る画像形成装置において、車椅子を利用している使用者が作業を行う状態を示す図である。
【図３】把手の斜視図である。
【図４】従来の画像形成装置の斜視図である。
【図５】従来の画像形成装置において、車椅子を利用している使用者が作業を行う状態を示す図である。
【符号の説明】
１        装置本体
２        原稿圧板
３        操作部
４        前ドア
５        紙カセット
６        手差し給紙部
７        右ドア
１０ａ〜１０ｆ  把手
１１      固定部材
２０      使用者
２１      車椅子
３０      把手
３０ａ    磁力を有する部分
【図１】
2005003937.tif 000003
【図２】
2005003937.tif 000004
【図３】
2005003937.tif 000005
【図４】
2005003937.tif 000006
【図５】
2005003937.tif 000007